(57)【要約】【課題】車載カメラに好適な撮像レンズを提供する。【解決手段】撮像レンズ１０は、物体側から順に、物体側に凸面を向けたメニスカス形状の第１レンズ１１、第２レンズ１２、像側の面が凸面であり、正の第３レンズとからなる。第１レンズ１１、第２レンズ１２、第３レンズ１３は、プラスチック両面非球面レンズからなる。第２レンズ１２は、物体側の曲率半径の絶対値が像側よりも小さい両凸レンズであり、第３レンズ１３は、物体側に凹面、像側に凸面を向けた正メニスカスレンズからなる。【選択図】図１
2008089813.tif 000002
【特許請求の範囲】
【請求項１】
物体側から順に、物体側に凸面を向けたメニスカス形状である負の第１レンズ、少なくとも一方の面が非球面である第２レンズ、像側の面が凸面であり少なくとも一方の面が非球面である正の第３レンズとからなり、
前記第２レンズと前記第３レンズとの間に開口絞りが設けられ、
前記第１レンズから前記第３レンズの各焦点距離をｆ１、ｆ２、ｆ３、アッベ数をν１、ν２、ν３、第２レンズと第３レンズの合成焦点距離をｆ２３とするとき、以下の条件式を満足することを特徴とする撮像レンズ。
０＜｜ｆ２／ｆ３｜＜０．４９        （１）
１．５＜ν３／ν２                  （２）
０．５＜｜ｆ１／ｆ２３｜＜３．０    （３）
【請求項２】
前記第１レンズの物体側の面の頂点から像面までの距離をＬ、ｆを全系の焦点距離としたとき、以下の条件式を満足することを特徴とする請求項１記載の撮像レンズ。
０＜Ｌ／ｆ＜１０．０                （４）
【請求項３】
物体側から順に、少なくとも一方の面が非球面であり、像側の面に凹面が形成されている負の第１レンズ、少なくとも一方の面が非球面である第２レンズ、像側の面が凸面であり少なくとも一方の面が非球面である正の第３レンズからなり、
第２レンズと第３レンズの間に開口絞りが設けられ、
前記第１レンズから第３レンズの各焦点距離をｆ１、ｆ２、ｆ３、アッベ数をν１、ν２、ν３、第１レンズのｄ線に対する屈折率をＮ１、第２レンズと第３レンズの合成焦点距離をｆ２３とするとき、以下の条件式を満足することを特徴とする撮像レンズ。
０＜｜ｆ２／ｆ３｜＜０．４９        （１）
１．５＜ν３／ν２                  （２）
０．５＜｜ｆ１／ｆ２３｜＜３．０    （３）
Ｎ１＜１．８０                      （５）
【請求項４】
前記第１レンズの物体側の面が凸面であることを特徴とする請求項３記載の撮像レンズ。
【請求項５】
請求項１ないし４のいずれかに記載の撮像レンズと、この撮像レンズにより形成される光学像を電気信号に変換する固体撮像素子とを備えたことを特徴とするカメラ装置。
【発明の詳細な説明】
【技術分野】
【０００１】
本発明は、車載カメラ、監視カメラ、携帯電話機用カメラ等に好適であり、固体撮像素子に光学像を形成するための撮像レンズ及びこれを備えたカメラ装置に関する。
【背景技術】
【０００２】
自動車の周囲を撮像するための車載カメラが知られている（例えば特許文献１参照）。車載カメラには、例えばドライバーの死角範囲を撮像して運転操作を支援するために車外に設けられる車外カメラと、交通事故等が発生した時の状況を記録するためにドライバーと同じ視野を撮像する車内カメラとがある。近年では、固体撮像素子の高性能化と低価格化に伴い、車載カメラを備えた自動車が一般的になりつつある。
【０００３】
従来の撮像レンズとして、特許文献２に記載された撮像レンズは、物体側より順に負メニスカスの第１レンズと正の第２レンズ及び第３レンズを備えており、第１レンズの物体側の面以外の面が全て非球面に形成され、良好なテレセントリック性と広画角を実現している。また、特許文献３に記載された撮像レンズは、第１レンズに負メニスカスのガラス球面レンズ、第２レンズ及び第３レンズに正のプラスチック非球面レンズを備えており、Ｆ２．６の明るさと８０度以上の広画角を実現している。特許文献４に記載の撮像レンズは、最も物体側の面が球面であり、それ以外の面が非球面に形成された３枚のプラスチックレンズからなり、Ｆ２．９６の明るさと１５０度の広画角を達成している。特許文献５及び６に記載の内視鏡用撮像レンズは、物体側より順に、平凹レンズと、２枚の正レンズを備え、良好なテレセントリック性とコンパクトさを両立させている。
【特許文献１】特開２００６−１６８６８３号公報
【特許文献２】特開２００１−３３７２６８号公報
【特許文献３】特開２００５−１８１５９６号公報
【特許文献４】特開２００５−３２１７４２号公報
【特許文献５】特許第３２０６９３０号
【特許文献６】特開平１０−１７０８２１号公報
【発明の開示】
【発明が解決しようとする課題】
【０００４】
しかしながら、特許文献２ないし４に記載の撮像レンズは、レンズの小型化が不十分である。また、特許文献５に記載の撮像レンズは、第１レンズに高屈折率のガラスが使用され、コストが高い欠点がある。特許文献６に記載の撮像レンズは、Ｆナンバーが３．８以上と暗く、適切な明るさの環境で使用されるとは限られない車載カメラや監視カメラ等には不向きである。
【０００５】
本発明は、上記問題点を考慮してなされたものであり、良好な光学性能を保ち、小型で軽量、安価な撮像レンズ及びこれを備えたカメラを提供することを目的とする。
【課題を解決するための手段】
【０００６】
上記目的を達成するために、本発明の撮像レンズは、物体側から順に、物体側に凸面を向けたメニスカス形状である負の第１レンズ、少なくとも一方の面が非球面である第２レンズ、像側の面が凸面であり少なくとも一方の面が非球面である正の第３レンズとからなり、前記第２レンズと前記第３レンズとの間に開口絞りが設けられ、前記第１レンズから前記第３レンズの各焦点距離をｆ１、ｆ２、ｆ３、アッベ数をν１、ν２、ν３、第２レンズと第３レンズの合成焦点距離をｆ２３とするとき、
０＜｜ｆ２／ｆ３｜＜０．４９        （１）
１．５＜ν３／ν２                  （２）
０．５＜｜ｆ１／ｆ２３｜＜３．０    （３）
を満足することを特徴とする。
【０００７】
上記条件式（１）の上限を超えると、長い射出瞳距離を得ることが可能であるが、撮像レンズの小型化と広角化を達成することが困難になる。条件式（２）の範囲外では倍率色収差を良好に補正することが困難になる。条件式（３）の上限を超えると、広角化が困難になると同時に像面湾曲が増大し、条件式（３）の下限を超えると、広角化が達成される一方で、コマ収差が増大し、像面周辺部の画質が劣化する。
【０００８】
像面湾曲とディストーション等を良好に補正するためには、第１レンズの少なくとも一方の面に非球面を設け、さらなる像面湾曲の補正と、コマ収差の補正を達成するためには第１レンズを両面非球面レンズにすることが好ましい。倍率の色収差が補正された良好な像を得るためには、第２レンズをアッベ数４０以下の材料から構成し、第１レンズ及び第３レンズをアッベ数４０以上の材料から構成することが好ましい。
【０００９】
また、前記第１レンズの物体側の面の頂点から像面までの距離をＬ、ｆを全系の焦点距離としたとき、
０＜Ｌ／ｆ＜１０．０                （４）
を満足することを特徴とし、撮像レンズの小型化に好適なものである。
【００１０】
本発明の撮像レンズは、物体側から順に、少なくとも一方の面が非球面であり、像側の面に凹面が形成されている負の第１レンズ、少なくとも一方の面が非球面である第２レンズ、像側の面が凸面であり少なくとも一方の面が非球面である正の第３レンズからなり、第２レンズと第３レンズの間に開口絞りが設けられ、前記第１レンズから第３レンズの各焦点距離をｆ１、ｆ２、ｆ３、アッベ数をν１、ν２、ν３、第１レンズのｄ線に対する屈折率をＮ１、第２レンズと第３レンズの合成焦点距離をｆ２３とするとき、以下の条件式を満足することを特徴とする。
０＜｜ｆ２／ｆ３｜＜０．４９        （１）
１．５＜ν３／ν２                  （２）
０．５＜｜ｆ１／ｆ２３｜＜３．０    （３）
Ｎ１＜１．８０                      （５）
【００１１】
前記第１レンズの物体側の面が凸面であることを特徴とする。
【００１２】
さらには、全系の焦点距離をｆ、第２レンズの物体側の曲率半径をＲ３とするとき、
Ｒ３／ｆ＜１．０                    （６）
を満足することが好ましい。さらに、第１レンズの物体側頂点から像側頂点までの距離（中心厚）をＤ１とするとき、
Ｄ１／ｆ＜１                        （７）
を満足することでレンズの大型化を防ぐことができ、実際には、
０．５＜Ｄ１／ｆ＜０．８            （８）
を満足することが好ましい。また、第２レンズの像側の面の曲率半径をＲ４、第２レンズの中心厚をＤ３とするとき、色収差の増大を抑える点から、
２＜｜Ｒ４／Ｄ３｜＜６              （９）
を満足し、さらには、
２．５＜｜Ｒ４／Ｄ３｜＜４．２      （１０）
を満足することが好ましい。また、第３レンズの中心厚をＤ６とするとき、
１．５＜（Ｄ１＋Ｄ３＋Ｄ６）／ｆ＜４    （１１）
を満足し、さらには、
２＜（Ｄ１＋Ｄ３＋Ｄ６）／ｆ＜３    （１２）
を満足することが好ましい。上限を超えると、バックフォーカスが短くなる又はレンズが大型化し、下限を超えると焦点距離が長くなり、広角化が困難となる。
【００１３】
本発明のカメラ装置は、上記撮像レンズと、この撮像レンズにより形成される光学像を電気信号に変換する固体撮像素子とを備えたことを特徴とする。
【発明の効果】
【００１４】
本発明によれば、Ｆナンバーが２．８と明るく、像面湾曲が良好に補正され、対角画角が９０度以上の広画角が得られ、車載カメラ、監視カメラ等に好適な小型で高性能な撮像レンズを実現することができる。
【発明を実施するための最良の形態】
【００１５】
図１４において、自動車１には、その助手席側の側面の死角範囲を撮像するための車外カメラ２と、自動車１の後側の死角範囲を撮像するための車外カメラ３と、ルームミラーの背面に取付けられ、ドライバーと同じ視野範囲を撮影するための車内カメラ４とを備えている。車外カメラ２と車外カメラ３と車内カメラ４は、撮像レンズ１０と、ＣＣＤイメージセンサからなる固体撮像素子Ｓ１を備えている。以下に、撮像レンズ１０の実施例について説明する。
【００１６】
（実施例１）
図１及び図２において、撮像レンズ１０は、物体側から順に第１レンズ１１と、第２レンズ１２と、第３レンズ１３とを備えている。第１レンズ１１〜第３レンズ１３は全て光軸を中心に回転対称な非球面を有するプラスチック両面非球面レンズからなる。第１レンズ１１は、物体側に凸面、像側に凹面を有し、像側の曲率半径の絶対値が物体側よりも小さい負のメニスカス形状である。第１レンズ１１の像側の凹面の外側の領域には、遮光膜１１ａが設けられている。遮光膜１１ａは、有効径外から光が入ることを防ぎ、像面上でゴーストが発生することを防ぐ。なお、遮光膜１１ａは、第１レンズ１１の有効径の外側に設けられた不透明な塗料層であるが、第１レンズ１１の後面に不透明な板材を設けてもよい。また、遮光膜１１ａは、第１レンズ１１の後に設けることに限られず、場合に応じて他のレンズの間に設けてもよい。
【００１７】
第２レンズ１２は、物体側と像側にそれぞれ凸面を向けた両凸形状であり、物体側の曲率半径の絶対値が像側よりも小さい。第３レンズ１３は、物体側に凹面、像側に凸面を有し、像側の凸面の曲率半径の絶対値が物体側よりも小さい正メニスカス形状である。第２レンズ１２と第３レンズ１３の間には、開口絞りＳＴが設けられている。像面には、ＣＣＤイメージセンサ又はＣＭＯＳイメージセンサ等の固体撮像素子Ｓ１の受光面が位置し、第３レンズ１３と像面との間には、固体撮像素子Ｓ１のカバーガラス及び赤外線カットフィルタ等のフィルタ類が平行平面板ＰＰとして設けられている。以下の表１に撮像レンズ１０のレンズデータを示し、表２に第１レンズ１１〜第３レンズ１３の非球面係数、表３に撮像レンズ１０の設計仕様を示す。なお、各非球面は、他の実施例についても以下の非球面式に基づくものであり、ＫＡを非球面の円錐定数、Ｂｉをｉ次の非球面係数、近軸曲率半径の逆数をＣ、光軸からの高さをＹとする。
【００１８】
【数１】
2008089813.tif 000003
【００１９】
【表１】
2008089813.tif 000004
【００２０】
【表２】
2008089813.tif 000005
【００２１】
【表３】
2008089813.tif 000006
【００２２】
なお、表中のＲはレンズ要素の球面の曲率半径、又は非球面の基準面の曲率を表し、Ｄは面間隔又は空気間隔を表す。Ｎは、ｄ線（波長５８７．５６ｎｍ）に対する屈折率を表し、νはｄ線を基準としたアッベ数を表す。また、表中のｆは全系の焦点距離（ｍｍ）、ｆ１は第１レンズ１１の焦点距離（ｍｍ）、ｆ２は第２レンズ１２の焦点距離（ｍｍ）、ｆ３は第３レンズ１３の焦点距離（ｍｍ）、ｆ２３は、第２レンズ１２と第３レンズ１３の合成焦点距離（ｍｍ）、２ωは対角画角（°）、Ｌは物体側の面の頂点から像面までの距離（ｍｍ）、ＦｎｏはＦナンバーを表す。これらは、以下に説明する他の実施例についても同様である。
【００２３】
撮像レンズ１０は、｜ｆ２／ｆ３｜＝０．４８であり、
０＜｜ｆ２／ｆ３｜＜０．４９      （１）
を満たす。また、ν３／ν２＝１．８５であり、
１．５＜ν３／ν２                （２）
を満たす。また、｜ｆ１／ｆ２３｜＝０．７７であり、
０．５＜｜ｆ１／ｆ２３｜＜３．０  （３）
を満たす。Ｌ／ｆ＝４．７０であり、
０＜Ｌ／ｆ＜１０．０              （４）
を満たす。また、Ｎ１＝１．５１であり、
Ｎ１＜１．８０                    （５）
を満たす。また、Ｒ３／ｆ＝０．８３であり、
Ｒ３／ｆ＜１．０                  （６）
を満たす。また、Ｄ１／ｆ＝０．６６であり、
Ｄ１／ｆ＜１                      （７）
０．５＜Ｄ１／ｆ＜０．８          （８）
をともに満たす。また、Ｒ４／Ｄ３＝−４．００であり、
２＜｜Ｒ４／Ｄ３｜＜６            （９）
２．５＜｜Ｒ４／Ｄ３｜＜４．２    （１０）
をともに満たす。また、（Ｄ１＋Ｄ３＋Ｄ６）／ｆ＝２．３８であり、
１．５＜（Ｄ１＋Ｄ３＋Ｄ６）／ｆ＜４    （１１）
２＜（Ｄ１＋Ｄ３＋Ｄ６）／ｆ＜３        （１２）
をともに満たす。
【００２４】
（実施例２）
図４において、撮像レンズ２０は、物体側から順に第１レンズ２１と、第２レンズ２２と、第３レンズ２３とを備えている。第１レンズ１１〜第３レンズ１３はプラスチック両面非球面レンズからなる。第１レンズ２１は、物体側に凸面、像側に凹面を有し、像側の凹面の曲率半径の絶対値が物体側よりも小さい負のメニスカス形状である。第２レンズ２２は、物体側と像側にそれぞれ凸面を向けた両凸形状であり、物体側の凸面の曲率半径の絶対値が像側よりも大きい。第３レンズ２３は、物体側に凹面、像側に凸面を有し、像側の凸面の曲率半径の絶対値が物体側よりも小さい正メニスカス形状である。第２レンズ２２と第３レンズ２３の間には、開口絞りＳＴが設けられ、第３レンズ２３と像面の間には平行平面板ＰＰが設けられている。表４に撮像レンズ２０のレンズデータを示し、表５に各面の非球面係数、表６にレンズ仕様を示す。
【００２５】
【表４】
2008089813.tif 000007
【００２６】
【表５】
2008089813.tif 000008
【００２７】
【表６】
2008089813.tif 000009
【００２８】
撮像レンズ２０は、｜ｆ２／ｆ３｜＝０．４５であり、
０＜｜ｆ２／ｆ３｜＜０．４９      （１）
を満たす。また、ν３／ν２＝１．８５であり、
１．５＜ν３／ν２                （２）
を満たす。また、｜ｆ１／ｆ２３｜＝０．８３であり、
０．５＜｜ｆ１／ｆ２３｜＜３．０  （３）
を満たす。Ｌ／ｆ＝４．６７であり、
０＜Ｌ／ｆ＜１０．０              （４）
を満たす。また、Ｎ１＝１．５１であり、
Ｎ１＜１．８０                    （５）
を満たす。また、Ｒ３／ｆ＝０．８６であり、
Ｒ３／ｆ＜１．０                    （６）
を満たす。また、Ｄ１／ｆ＝０．６８であり、
Ｄ１／ｆ＜１                        （７）
０．５＜Ｄ１／ｆ＜０．８            （８）
をともに満たす。また、Ｒ４／Ｄ３＝−２．６３であり、
２＜｜Ｒ４／Ｄ３｜＜６              （９）
２．５＜｜Ｒ４／Ｄ３｜＜４．２      （１０）
をともに満たす。また、（Ｄ１＋Ｄ３＋Ｄ６）／ｆ＝２．６２であり、
１．５＜（Ｄ１＋Ｄ３＋Ｄ６）／ｆ＜４    （１１）
２＜（Ｄ１＋Ｄ３＋Ｄ６）／ｆ＜３        （１２）
をともに満たす。
【００２９】
（実施例３）
図６において、撮像レンズ３０は、物体側から順に第１レンズ３１と、第２レンズ３２と、第３レンズ３３とを備えている。第１レンズ３１〜第３レンズ３３はプラスチック両面非球面レンズからなる。第１レンズ３１は、物体側に凸面、像側に凹面を有し、像側の凹面の曲率半径の絶対値が物体側の凸面より小さい負のメニスカス形状である。第２レンズ３２は、物体側と像側にそれぞれ凸面を向けた両凸形状であり、物体側の凸面の曲率半径の絶対値が像側よりも大きい。第３レンズ３３は、物体側に凹面、像側に凸面を有し、像側の凸面の曲率半径の絶対値が物体側よりも小さい正メニスカス形状である。第２レンズ３２と第３レンズ３３の間には、開口絞りＳＴが設けられ、第３レンズ３３と像面の間には平行平面板ＰＰが設けられている。表７に撮像レンズ３０のレンズデータを示し、表８に各面の非球面係数、表９にレンズ仕様を示す。
【００３０】
【表７】
2008089813.tif 000010
【００３１】
【表８】
2008089813.tif 000011
【００３２】
【表９】
2008089813.tif 000012
【００３３】
撮像レンズ３０は、｜ｆ２／ｆ３｜＝０．３４であり、
０＜｜ｆ２／ｆ３｜＜０．４９      （１）
を満たす。また、ν３／ν２＝１．８５であり、
１．５＜ν３／ν２                （２）
を満たす。また、｜ｆ１／ｆ２３｜＝０．８６であり、
０．５＜｜ｆ１／ｆ２３｜＜３．０  （３）
を満たす。Ｌ／ｆ＝４．５０であり、
０＜Ｌ／ｆ＜１０．０              （４）
を満たす。また、Ｎ１＝１．５１であり、
Ｎ１＜１．８０                    （５）
を満たす。また、Ｒ３／ｆ＝０．８１であり、
Ｒ３／ｆ＜１．０                    （６）
を満たす。また、Ｄ１／ｆ＝０．６５であり、
Ｄ１／ｆ＜１                        （７）
０．５＜Ｄ１／ｆ＜０．８            （８）
をともに満たす。また、Ｒ４／Ｄ３＝−２．６２であり、
２＜｜Ｒ４／Ｄ３｜＜６              （９）
２．５＜｜Ｒ４／Ｄ３｜＜４．２      （１０）
をともに満たす。また、（Ｄ１＋Ｄ３＋Ｄ６）／ｆ＝２．４９であり、
１．５＜（Ｄ１＋Ｄ３＋Ｄ６）／ｆ＜４    （１１）
２＜（Ｄ１＋Ｄ３＋Ｄ６）／ｆ＜３        （１２）
をともに満たす。
【００３４】
（実施例４）
図８において、撮像レンズ４０は、物体側から順に第１レンズ４１と、第２レンズ４２と、第３レンズ４３とを備えている。第１レンズ４１〜第３レンズ４３はプラスチック両面非球面レンズからなる。第１レンズ４１は、物体側に凸面、像側に凹面を有し、像側の凹面の曲率半径の絶対値が物体側より小さい負のメニスカス形状である。第２レンズ４２は、物体側と像側にそれぞれ凸面を向けた両凸形状であり、物体側の凸面の曲率半径の絶対値が像側よりも小さい。第３レンズ４３は、物体側に凹面、像側に凸面を有し、像側の凸面の曲率半径の絶対値が物体側よりも小さい正メニスカス形状である。第２レンズ４２と第３レンズ４３の間には、開口絞りＳＴが設けられ、第３レンズ４３と像面の間には平行平面板ＰＰが設けられている。表１０に撮像レンズ４０のレンズデータを示し、表１１に各面の非球面係数、表１２にレンズ仕様を示す。
【００３５】
【表１０】
2008089813.tif 000013
【００３６】
【表１１】
2008089813.tif 000014
【００３７】
【表１２】
2008089813.tif 000015
【００３８】
撮像レンズ４０は、｜ｆ２／ｆ３｜＝０．３５であり、
０＜｜ｆ２／ｆ３｜＜０．４９      （１）
を満たす。また、ν３／ν２＝１．８５であり、
１．５＜ν３／ν２                （２）
を満たす。また、｜ｆ１／ｆ２３｜＝０．８６であり、
０．５＜｜ｆ１／ｆ２３｜＜３．０  （３）
を満たす。Ｌ／ｆ＝４．７３であり、
０＜Ｌ／ｆ＜１０．０              （４）
を満たす。また、Ｎ１＝１．５１であり、
Ｎ１＜１．８０                    （５）
を満たす。また、Ｒ３／ｆ＝０．８９であり、
Ｒ３／ｆ＜１．０                    （６）
を満たす。また、Ｄ１／ｆ＝０．６６であり、
Ｄ１／ｆ＜１                        （７）
０．５＜Ｄ１／ｆ＜０．８            （８）
をともに満たす。また、Ｒ４／Ｄ３＝−２．６２であり、
２＜｜Ｒ４／Ｄ３｜＜６              （９）
２．５＜｜Ｒ４／Ｄ３｜＜４．２      （１０）
をともに満たす。また、（Ｄ１＋Ｄ３＋Ｄ６）／ｆ＝２．５５であり、
１．５＜（Ｄ１＋Ｄ３＋Ｄ６）／ｆ＜４    （１１）
２＜（Ｄ１＋Ｄ３＋Ｄ６）／ｆ＜３        （１２）
をともに満たす。
【００３９】
（実施例５）
図１０において、撮像レンズ５０は、物体側から順に第１レンズ５１と、第２レンズ５２と、第３レンズ５３とを備えている。第１レンズ５１〜第３レンズ５３はプラスチック両面非球面レンズからなる。第１レンズ５１は、物体側に凸面、像側に凹面を向けた負のメニスカス形状である。第２レンズ５２は、物体側と像側にそれぞれ凸面を向けた両凸形状であり、物体側の凸面の曲率半径の絶対値が像側よりも小さい。第３レンズ５３は、物体側に凹面、像側に凸面を有し、像側の凸面の曲率半径の絶対値が物体側よりも小さい正メニスカス形状である。第２レンズ５２と第３レンズ５３の間には、開口絞りＳＴが設けられ、第３レンズ５３と像面の間には、平行平面板ＰＰが設けられている。表１３に撮像レンズ５０のレンズデータを示し、表１４に各面の非球面係数、表１５にレンズ仕様を示す。
【００４０】
【表１３】
2008089813.tif 000016
【００４１】
【表１４】
2008089813.tif 000017
【００４２】
【表１５】
2008089813.tif 000018
【００４３】
撮像レンズ５０は、｜ｆ２／ｆ３｜＝０．３１であり、
０＜｜ｆ２／ｆ３｜＜０．４９      （１）
を満たす。また、ν３／ν２＝１．８５であり、
１．５＜ν３／ν２                （２）
を満たす。また、｜ｆ１／ｆ２３｜＝０．７７であり、
０．５＜｜ｆ１／ｆ２３｜＜３．０  （３）
を満たす。Ｌ／ｆ＝５．４０であり、
０＜Ｌ／ｆ＜１０．０              （４）
を満たす。また、Ｎ１＝１．５１であり、
Ｎ１＜１．８０                    （５）
を満たす。また、Ｒ３／ｆ＝０．９９であり、
Ｒ３／ｆ＜１．０                    （６）
を満たす。また、Ｄ１／ｆ＝０．７３であり、
Ｄ１／ｆ＜１                        （７）
０．５＜Ｄ１／ｆ＜０．８            （８）
をともに満たす。また、Ｒ４／Ｄ３＝−２．６２であり、
２＜｜Ｒ４／Ｄ３｜＜６              （９）
２．５＜｜Ｒ４／Ｄ３｜＜４．２      （１０）
を満たす。また、（Ｄ１＋Ｄ３＋Ｄ６）／ｆ＝２．８５であり、
１．５＜（Ｄ１＋Ｄ３＋Ｄ６）／ｆ＜４    （１１）
２＜（Ｄ１＋Ｄ３＋Ｄ６）／ｆ＜３        （１２）
をともに満たす。
【００４４】
（実施例６）
図１２において、撮像レンズ６０は、物体側から順に第１レンズ６１と、第２レンズ６２と、第３レンズ６３とを備えている。第１レンズ６１〜第３レンズ６３はプラスチック両面非球面レンズからなる。第１レンズ６１は、物体側に凸面、像側に凹面を向け、像側の凹面の曲率半径の絶対値が物体側よりも小さい負のメニスカス形状である。第２レンズ６２は、物体側と像側にそれぞれ凸面を向けた両凸形状であり、物体側の凸面の曲率半径の絶対値が像側よりも小さい。第３レンズ６３は、物体側に光軸近傍が平面、像側に凸面を有する。第２レンズ６２と第３レンズ６３の間には、開口絞りＳＴが設けられ、第３レンズ６３と像面の間には、平行平面板ＰＰが設けられている。表１６に撮像レンズ６０のレンズデータを示し、表１７に各面の非球面係数、表１８にレンズ仕様を示す。
【００４５】
【表１６】
2008089813.tif 000019
【００４６】
【表１７】
2008089813.tif 000020
【００４７】
【表１８】
2008089813.tif 000021
【００４８】
撮像レンズ６０は、｜ｆ２／ｆ３｜＝０．４８であり、
０＜｜ｆ２／ｆ３｜＜０．４９      （１）
を満たす。また、ν３／ν２＝１．８５であり、
１．５＜ν３／ν２                （２）
を満たす。また、｜ｆ１／ｆ２３｜＝１．４８であり、
０．５＜｜ｆ１／ｆ２３｜＜３．０  （３）
を満たす。Ｌ／ｆ＝３．５５であり、
０＜Ｌ／ｆ＜１０．０              （４）
を満たす。また、Ｎ１＝１．５１であり、
Ｎ１＜１．８０                    （５）
を満たす。また、Ｒ３／ｆ＝０．６９であり、
Ｒ３／ｆ＜１．０                    （６）
を満たす。また、Ｄ１／ｆ＝０．５４であり、
Ｄ１／ｆ＜１                        （７）
０．５＜Ｄ１／ｆ＜０．８            （８）
を満たす。また、Ｒ４／Ｄ３＝−３．３３であり、
２＜｜Ｒ４／Ｄ３｜＜６              （９）
２．５＜｜Ｒ４／Ｄ３｜＜４．２      （１０）
をともに満たす。また、（Ｄ１＋Ｄ３＋Ｄ６）／ｆ＝２．１５であり、
１．５＜（Ｄ１＋Ｄ３＋Ｄ６）／ｆ＜４    （１１）
２＜（Ｄ１＋Ｄ３＋Ｄ６）／ｆ＜３        （１２）
をともに満たす。
【００４９】
なお、第１レンズ、第２レンズ、第３レンズをプラスチックにより構成することで、高精度な非球面を形成でき、軽量、低コストの撮像レンズを実現できるが、車載カメラ用撮像レンズのように、高い耐候性が求められる用途で第１レンズの材質にプラスチックを用いる場合、第１レンズの物体側の面に耐酸性、耐候性、耐水性、強度などを向上させるコートを施すことや、第１レンズの前に保護ガラスを設けることが好ましい。この保護ガラスは、平板あるいはノンパワーの湾曲した板を用いても良い。本発明の撮像レンズは、車載カメラに限られず、携帯電話機用カメラ、監視カメラ等のカメラ装置に用いることができる。車載カメラ用撮像レンズのように、高い耐候性が求められる用途では、第１レンズの材質として、耐候性、耐水性、耐薬品性に優れたガラスを用いても良い。
【図面の簡単な説明】
【００５０】
【図１】第１実施例の光路図である。
【図２】第１実施例のレンズ構成を示す断面図である。
【図３】第１実施例の収差図である。
【図４】第２実施例のレンズ構成を示す断面図である。
【図５】第２実施例の収差図である。
【図６】第３実施例のレンズ構成を示す断面図である。
【図７】第３実施例の収差図である。
【図８】第４実施例のレンズ構成を示す断面図である。
【図９】第４実施例の収差図である。
【図１０】第５実施例のレンズ構成を示す断面図である。
【図１１】第５実施例の収差図である。
【図１２】第６実施例のレンズ構成を示す断面図である。
【図１３】第６実施例の収差図である。
【図１４】車載カメラの説明図である。
【符号の説明】
【００５１】
１０，２０，３０，４０，５０，６０  撮像レンズ
１１，２１，３１，４１，５１，６１  第１レンズ
１２，２２，３２，４２，５２，６２  第２レンズ
１３，２３，３３，４３，５３，６３  第３レンズ
１４，２４，３４，４４，５４，６４  第４レンズ
１５，２５，３５，４５，５５，６５  第５レンズ
【図１】
2008089813.tif 000022
【図２】
2008089813.tif 000023
【図３】
2008089813.tif 000024
【図４】
2008089813.tif 000025
【図５】
2008089813.tif 000026
【図６】
2008089813.tif 000027
【図７】
2008089813.tif 000028
【図８】
2008089813.tif 000029
【図９】
2008089813.tif 000030
【図１０】
2008089813.tif 000031
【図１１】
2008089813.tif 000032
【図１２】
2008089813.tif 000033
【図１３】
2008089813.tif 000034
【図１４】
2008089813.tif 000035